(57)【要約】【課題】  薬剤の蒸散効率を良好な状態で維持することが可能でかつ使い勝手の良い加熱蒸散装置を提供する。【解決手段】  本発明にかかる加熱蒸散装置１０は、蒸散剤保持体２０を傾斜させた状態で加熱する発熱部２５を内蔵した器体１１と、器体１１に蒸散剤保持体２０を覆うように設けられた蓋体１２とを備え、器体１１に蓋体１２が閉じられている状態で蓋体１２の外側に面する蓋表面１２ａに、細長形状の複数の開口部１３が形成され、複数の開口部１３は蓋表面１２ａの面積に対する開口率が４０％以上で、かつ、開口部１３のそれぞれの短手方向長さが５ｍｍ以下に構成されている。【選択図】  図１
2004267197.tif 000002
【特許請求の範囲】
【請求項１】
蒸散剤保持体を傾斜させた状態で発熱部により加熱して薬剤を蒸散させる加熱蒸散装置であって、
前記発熱部を内蔵した器体と、該器体に前記蒸散剤保持体を覆うように設けられた蓋体とを備え、前記器体に前記蓋体が閉じられている状態で前記蓋体の外側に面する蓋表面に、細長形状の複数の開口部が形成され、前記複数の開口部は前記蓋表面の面積に対する開口率が４０％以上で、かつ、前記開口部のそれぞれの短手方向長さが５ｍｍ以下に構成されていることを特徴とする加熱蒸散装置。
【請求項２】
蒸散剤保持体を発熱部により加熱して薬剤を蒸散させる加熱蒸散装置であって、
前記発熱部を内蔵した器体と、該器体に前記蒸散剤保持体を覆うように設けられた蓋体とを備え、前記器体に前記蓋体が閉じられている状態で前記蓋体の外側に面する蓋表面に、開口部が形成され、前記開口部は前記蓋表面の面積に対する開口率が４０％以上で、かつ、前記開口部のそれぞれの最大寸法長さが５ｍｍ以下に構成されていることを特徴とする加熱蒸散装置。
【請求項３】
前記複数の開口部はそれぞれの前記短手方向長さが前記蒸散剤保持体に近づくにつれて大きくなるように形成されていることを特徴とする請求項１に記載の加熱蒸散装置。
【請求項４】
前記蓋体には前記複数の開口部のそれぞれの長手方向部分を区画する複数の柱部が形成され、該柱部のそれぞれの横断面形状が三角形状であることを特徴とする請求項３に記載の加熱蒸散装置。
【請求項５】
前記器体に前記蓋体が閉じられている状態で、前記器体と前記蓋体の上端部分との隙間及び又は器体に蒸散口が形成されていることを特徴とする請求項１に記載の加熱蒸散装置。
【請求項６】
前記蒸散口は前記蒸散剤保持体の上端の鉛直方向上方に開口するように設けられていることを特徴とする請求項５に記載の加熱蒸散装置。
【請求項７】
前記器体に前記蓋体が閉じられている状態で、前記器体と前記蓋体の下端部分との隙間及び又は器体に第１の空気取入口が形成され、該第１の空気取入口が前記蒸散剤保持体の下端より鉛直方向に対して下側の位置で開口することを特徴とする請求項１に記載の加熱蒸散装置。
【請求項８】
前記器体において、前記蓋体に対して略水平方向反対側の部位に第２の空気取入口が設けられていることを特徴とする請求項１に記載の加熱蒸散装置。
【発明の詳細な説明】
【技術分野】
【０００１】
本発明は、蒸散剤保持体を加熱して薬剤を揮散させる加熱蒸散装置に関し、特にこの蒸散剤保持体を覆う蓋体を備えた加熱蒸散装置に関する。
【背景技術】
【０００２】
従来、蚊等の害虫を駆除するための殺虫剤や、芳香剤等を室内に蒸散するために、加熱蒸散装置が用いられている。
加熱蒸散装置としては、蒸散効率を上げるために、マット等の蒸散剤保持体を器体内で傾斜させた状態で、その蒸散剤保持体を発熱部で加熱するものが提案されている。器体には、蒸散剤保持体を挿入する挿入口が設けられ、発熱部としては、面状の加熱板等が用いられていた。
【発明の開示】
【発明が解決しようとする課題】
【０００３】
従来の加熱蒸散装置は蒸散剤保持体の挿入孔から発熱部が外部に露呈していたため、使用者や幼児の手指が加熱した発熱部に不測に接触する可能性があるので使い勝手が悪かった。
一方で、このような接触をさけるため発熱部を覆うように蓋状の部材を設けると、蒸散させた薬剤がこの蓋状の部材に遮蔽されて薬剤の蒸散効率が著しく低下してしまうことが避けられなかった。
【０００４】
本発明は、上記事情に鑑みてなされたものであって、その目的は、薬剤の蒸散効率を良好な状態で維持することが可能でかつ使い勝手の良い加熱蒸散装置を提供することにある。
【課題を解決するための手段】
【０００５】
本発明の目的は、下記構成によって達成される。
（１）  蒸散剤保持体を傾斜させた状態で発熱部により加熱して薬剤を蒸散させる加熱蒸散装置であって、前記発熱部を内蔵した器体と、該器体に前記蒸散剤保持体を覆うように設けられた蓋体とを備え、前記器体に前記蓋体が閉じられている状態で前記蓋体の外側に面する蓋表面に、細長形状の複数の開口部が形成され、前記複数の開口部は前記蓋表面の面積に対する開口率が４０％以上で、かつ、前記開口部のそれぞれの短手方向長さが５ｍｍ以下に構成されていることを特徴とする加熱蒸散装置。
（２）  蒸散剤保持体を発熱部により加熱して薬剤を蒸散させる加熱蒸散装置であって、前記発熱部を内蔵した器体と、該器体に前記蒸散剤保持体を覆うように設けられた蓋体とを備え、前記器体に前記蓋体が閉じられている状態で前記蓋体の外側に面する蓋表面に、開口部が形成され、前記開口部は前記蓋表面の面積に対する開口率が４０％以上で、かつ、前記開口部のそれぞれの最大寸法長さが５ｍｍ以下に構成されていることを特徴とする加熱蒸散装置。
（３）  前記複数の開口部はそれぞれの前記短手方向長さが前記蒸散剤保持体に近づくにつれて大きくなるように形成されていることを特徴とする前記（１）に記載の加熱蒸散装置。
（４）  前記蓋体には前記複数の開口部のそれぞれの長手方向部分を区画する複数の柱部が形成され、該柱部のそれぞれの横断面形状が三角形状であることを特徴とする前記（３）に記載の加熱蒸散装置。
（５）  前記器体に前記蓋体が閉じられている状態で、前記器体と前記蓋体の上端部分との隙間及び又は器体に蒸散口が形成されていることを特徴とする前記（１）に記載の加熱蒸散装置。
（６）  前記蒸散口は前記蒸散剤保持体の上端の鉛直方向上方に開口するように設けられていることを特徴とする前記（５）に記載の加熱蒸散装置。
（７）  前記器体に前記蓋体が閉じられている状態で、前記器体と前記蓋体の下端部分との隙間及び又は器体に第１の空気取入口が形成され、該第１の空気取入口が前記蒸散剤保持体の下端より鉛直方向に対して下側の位置で開口することを特徴とする前記（１）に記載の加熱蒸散装置。
（８）  前記器体において、前記蓋体に対して略水平方向反対側の部位に第２の空気取入口が設けられていることを特徴とする前記（１）に記載の加熱蒸散装置。
【０００６】
本発明にかかる加熱蒸散装置は、所定の開口率を有する開口部が形成された蓋体によって発熱部を覆う構成である。
すなわち、細長形状の複数の開口部は蓋表面の面積に対する開口率が４０％以上になるように構成されている。このため、この開口率が４０％未満の際に見られる、蒸散させた薬剤が開口部の隙間に付着して残留するといった状態、ひいては空気の流れが悪くなるなどの付着による蒸散性の低下を防止することができる。従って、適切な開口率による薬剤の蒸散効率を良好に維持することができる。
また、上記の細長形状の複数の開口部は、その短手方向長さが５ｍｍ以下になるように構成されている。このため、使用者や幼児の手指が開口部を挿通して加熱した発熱部や蒸散剤保持体に接触してしまうことを防止することができる。その上、蓋体が開閉式になっているので、開口部から手指が抜けなくなっても蓋体を開けることで手指が発熱部に接触することを回避することができる。従って、本発明にかかる加熱蒸散装置は、薬剤の蒸散効率を良好に維持しつつ使い勝手の良い加熱蒸散装置を提供することができる。
【０００７】
本発明にかかる加熱蒸散装置は、複数の開口部が蓋表面の面積に対する開口率が４０％以上で、かつ、開口部のそれぞれの最大寸法長さが５ｍｍ以下に構成されている構成とすることもできる。
すなわち、複数の開口部の開口率を４０％以上になるように構成することで、上記と同様の理由で薬剤の蒸散効率を良好に維持することができる。
上記の構成に加えて、これら開口部のそれぞれの最大寸法長さが５ｍｍ以下に構成されていれば、開口部の形状はスリットに限らずいかなる形状であっても、使用者や幼児の手指が開口部に挿通されることを防止することができる。その上、蓋体は開閉式であるため、たとえ手指が開口部に挿通されても蓋体を開くことで手指と発熱部との接触を防止することができる。このとき、開口部の形状としては、例えば、正方形、長方形、三角形や五角形などの多角形、正円、楕円などの円形とすることができる。
蓋体は開閉式に限らず、取外し自在な着脱式でもよい。
【０００８】
上記の加熱蒸散装置によれば、複数の開口部は、それぞれの短手方向長さが蒸散剤保持体に近づくにつれて大きくなるように形成されていることが好ましい。こうすれば、蒸散された薬剤（液）が開口部の隙間に付着しづらくなり、薬剤の蒸散効率を良好（正常）に維持することができる。ここで、蓋体には複数の開口部のそれぞれにおける長手方向部分を区画する複数の柱部が形成され、これら柱部は、例えば、その横断面形状（柱部を短手方向に平行な面で切断したときの断面の形状）が蓋表面側又は蓋裏面側に底辺を有する三角形状とすることができる。
【０００９】
上記の加熱蒸散装置によれば、器体に蓋体が閉じられている状態で、器体と蓋体の上端部との隙間及び又は器体に蒸散口が形成されていることが好ましい。器体内部における、蒸散剤保持体の上方に位置する部位には、蒸散された薬剤の付着が特に著しい。この上方に位置する部位に蒸散された薬剤が付着して蓄積すると、蓄積した薬剤の一部が蓋体にも付着して残留する状態、ひいては空気の流れが悪くなるなど、付着により蒸散性が低下する。そこで、この上方に位置する部位に蒸散口が設けられていれば、蒸散された薬剤が蓄積することなく蒸散口を介して器体外部に蒸散される。このため、加熱蒸散装置は薬剤の蒸散効率が低下することがない。
このような蒸散口は蒸散剤保持体の上端の鉛直方向上方に開口するように設けられていることが好ましい。
【００１０】
上記の加熱蒸散装置によれば、器体に蓋体が閉じられている状態で、器体と蓋体の下端部分との隙間及び又は器体に第１の空気取入口が形成されていることが好ましい。こうすれば、第１の空気取入口を介して器体内部に空気が導入されるため，薬剤の蒸散効率をより一層向上させることができる。
器体の、蓋体に対して略水平方向反対側の部位に第２の空気取入口が設けられていることが好ましい。こうすれば、第２の空気取入口を介して器体内部に空気が導入されるため、薬剤の蒸散効率をより一層向上させることができる。
【００１１】
器体には蒸散剤保持体を弾性的に支持する押さえ部を設けてもよい。押さえ部の形態に制限はないが、例えば、板ばね、コイルばね、弾性のある樹脂製板、ゴム、スポンジ等が挙げられる。
蒸散剤保持体としては、マット等の蒸散剤保持体のほか、加熱蒸散液を容器に収容するとともにその容器の開口を気体透過性フィルムで塞いだもの等を用いることができる。
発熱部としては、蒸散剤保持体を裏側から加熱して蒸散剤保持体の表側から薬剤を蒸散せしめるような形態のものを例示できる。例えば、蒸散剤保持体を面状に加熱するような発熱部を用いることが好ましい。発熱部を有する加熱面となる面を水平方向に対して４５°になるように設けることでコンセントと上面にコンセントを有するテーブルタップとを兼用することが可能となる。また、可動式のプラグを設けることでコンセントと上面にコンセントを有するテーブルタップとを兼用可能な構成としてもよい。
【００１２】
本発明において薬剤としては、殺虫剤、殺菌剤、殺ダニ剤、或は忌避剤、医薬品、芳香剤、消臭剤、防虫剤、化粧品等の薬剤（薬液）が使用される。例えば、従来より害虫駆除に用いられている以下の各種薬剤が挙げられる。
＊３−アリル−２−メチルシクロペンタ−２−エン−４−オン−１−イル  ｄ−シス／トランス−クリサンテマート（商品名ピナミンフォルテ：住友化学工業株式会社製）
＊３−アリル−２−メチルシクロペンタ−２−エン−４−オン−１−イル  dl−シス／トランス−クリサンテマート（一般名アレスリン：商品名ピナミン：住友化学工業株式会社製）
＊２−メチル−４−オキソ−３−（２−プロピニル）−２−シクロペンテニルクリサンテマート（一般名：プラレトリン）
＊ｄ−３−アリル−２−メチルシクロペンタ−２−エン−４−オン−１−イルｄ−トランス−クリサンテマート（商品名エキスリン：住友化学工業株式会社製）
＊３−アリル−２−メチルシクロペンタ−２−エン−４−オン−１−イル  ｄ−トランス−クリサンテマート（一般名バイオアレスリン）
＊Ｎ−（3,4,5,6−テトラヒドロフタリミド）−メチル  dl−シス／トランス−クリサンテマート（一般名フタルスリン：商品名ネオピナミン：住友化学工業株式会社製）
＊５−ベンジル−３−フリルメチル  ｄ−シス／トランス−クリサンテマート（一般名レスメトリン：商品名クリスロンフォルテ：住友化学工業株式会社製）
＊５−（２−プロパルギル）−３−フリルメチルクリサンテマート（一般名フラメトリン）
＊３−フェノキシベンジル 2,2−ジメチル−３−（2',2'−ジクロロ）ビニルシクロプロパン  カルボキシレート（一般名ペルメトリン：商品名エクスミン：住友化学工業株式会社製）
＊３−フェノキシベンジル  ｄ−シス／トランスクリサンテマート（一般名フェノトリン：商品名スミスリン：住友化学工業株式会社製）
＊α−シアノフェノキシベンジル  イソプロピル−４−クロロフェニルアセトテート（一般名フェンバレレート：商品名スミサイジン：住友化学工業株式会社製）
＊(S)−α−シアノ−３−フェノキシベンジル(1R，シス)−３−（2,2−ジクロロビニル）−2,2−ジメチルシクロプロパンカルボキシレート
＊(R,S)−α−シアノ−３−フェノキシベンジル(1R,1S)−シス／トランス−３−(2,2−ジクロロビニル)−2,2−ジメチルシクロプロパンカルボキシレート
＊α−シアノ−３−フェノキシベンジル  ｄ−シス／トランス−クリサンテマート
＊１−エチニル−２−メチル−２−ペンテニルシス／トランス／クリサンテマート
＊１−エチニル−２−メチル−２−ペンテニル2,2−ジメチル−３−（２−メチル−１−プロペニル）シクロプロパン−１−カルボキシレ−ト
＊１−エチニル−２−メチル−２−ペンテニル2,2,3,3−テトラメチルシクロプロパンカルボキシレート
＊１−エチニル−２−メチル−２−ペンテニル2,2−ジメチル−３−(2,2−ジクロロビニル)シクロプロパン−１−カルボキシレート
＊Ｏ〔（ペンタフルオロフェニル）−メチル〕−１Ｒ，３Ｒ−３−（２，２−ジクロロエチニル）−２，２−ジメチル−シクロプロパンカルボキシレート（一般名フェンフルスリン）
＊ｄ−トランス−２，３，５，６−テトラフルオロベンジル−３−（２，２−ジクロロビニル）−２，２−ジメチル−１−シクロプロパンカルボキシレート（一般名トランスフルスリン）
＊Ｏ,Ｏ−ジメチル  Ｏ−(2,2−ジクロロ)ビニルホスフェート
＊ｏ−イソプポキシフェニル  メチルカーバメ−ト
＊Ｏ,Ｏ−ジメチル  Ｏ−（３−メチル−４−ニトロフェニル）チオノフォスフェート
＊Ｏ,Ｏ−ジエチル  Ｏ−２−イソプロピル−４−メチル−ピリミジル−(6)−チオフォスフェート
＊Ｏ,Ｏ−ジメチル  Ｓ−（1,2  −ジカルボエトキシエチル）−ジチオフォスフェート
【発明の効果】
【００１３】
本発明によれば、薬剤の蒸散効率を良好な状態で維持することが可能でかつ使い勝手の良い加熱蒸散装置を提供することができる。
【発明を実施するための最良の形態】
【００１４】
以下、本発明に係る複数の好適な実施の形態例を図面に基づいて詳細に説明する。
【００１５】
図１は本発明にかかる加熱蒸散装置の第１の実施形態を示す全体斜視図、図２（ａ）は図１の加熱蒸散装置の蓋体を開いた状態を示す図、図２（ｂ）は図２（ａ）に示す蓋体の断面図、図３は蒸散剤保持体の一例を示す斜視図、図４は蓋体に蒸散剤保持体を取り付けた状態を示す図、図５は蒸散剤保持体を取り付けた状態における加熱蒸散装置の全体断面図、図６は図５の矢印Ａ方向でみた状態における加熱蒸散装置の断面図、図７は加熱蒸散装置の背部を正面視した図、図８は本発明にかかる加熱蒸散装置の第２の実施形態を示す全体斜視図、図９は本発明にかかる加熱蒸散装置の第３の実施形態を示す全体斜視図、図１０は図９の加熱蒸散装置の縦方向の断面図、図１１は図１０に示す加熱蒸散装置の蒸散剤保持体を示す図、図１２（ａ）は図１１に示す蒸散剤保持体を示す図、図１２（ｂ）は図１２（ａ）の蒸散剤保持体の変形例を示す図、図１２（ｃ）は図１２（ａ）の蒸散剤保持体の別の変形例を示す図、図１３は図１０に示す加熱蒸散装置の蒸散剤保持体における別の変形例を取り付けた加熱蒸散装置の全体断面図、図１４（ａ）は図１３の蒸散剤保持体の変形例を示す側面図、図１４（ｂ）は図１４（ａ）の断面図、図１５（ａ）は本発明にかかる加熱蒸散装置の第３の実施形態における蒸散剤保持体を床面と水平な放熱板上に配置した状態を示す断面図、図１５（ｂ）は図１４（ｂ）に示される蒸散剤保持体を床面と水平な放熱板上に配置した状態を示す断面図、図１６は本発明にかかる加熱蒸散装置の第４の実施形態において蒸散剤保持体を取り付けた状態における加熱蒸散装置の全体断面図、図１７は図１６の加熱蒸散装置における発熱部と蒸散剤保持体との変形例を示す斜視図、図１８は図１７の発熱部と蒸散剤保持体との別の変形例を示す断面図、図１９は図１８の蒸散剤保持体の更に別の変形例を示す斜視図である。
【００１６】
図１に示すように、本発明の第１実施形態である加熱蒸散装置１０は、器体１１と、器体１１に対して開閉可能に設けられた蓋体１２と、を備えている。蓋体１２は、器体１１に対して閉じた状態で、水平方向（地面に対して平行な方向）に対して傾斜（例えば１０度〜６０度で傾斜）した蓋表面１２ａを有し、この蓋表面１２ａに複数の開口部１３が設けられている。ここでは開口部１３が、上下方向に細長形状に延びるように複数設けられている。これら開口部１３の長手方向部分は蓋体１２の柱部１２ｃによって区画されている。
【００１７】
蓋体１２の上端には、指掛け部１２ｂが設けられている。使用者が、指掛け部１２ｂに手を掛けて、図中矢印Ｏで示すように蓋体１２に力をかけると、蓋体１２は、その下端付近を回動中心として上端側が回動し、器体１１に対して開いた状態になる。
【００１８】
本実施形態の加熱蒸散装置１０において、複数の開口部１３の、蓋体１２の蓋表面１２ａに対する開口率は、実施可能な範囲において４０％以上（本実施形態において４５％）の範囲になるよう構成されている。なお、ここでいう開口率とは、蓋表面１２ａの面積に対する複数の開口部１３の開口している箇所の合計面積の割合をいう。
ここで、複数の開口部１３は開口率が４０％未満になるように構成した場合、蒸散させた薬剤が開口部１３の隙間に付着して残留する状態、ひいては空気の流れが悪くなるなど、付着により蒸散性が低下する。
そこで、複数の開口部１３は開口率が４０％以上になるように構成することで、蒸散させた薬剤が開口部１３の隙間に付着して残留する状態、ひいては空気の流れが悪くなるなど、付着により蒸散性が低下する現象を防止することができる。
【００１９】
また、複数の開口部１３は、開口率が４０％以上となるように構成されるとともに、これら開口部１３のそれぞれの短手方向長さが５ｍｍ以下（本実施形態においては２．５ｍｍ）になるように構成されている。このため、使用者や幼児の手指が開口部１３を介して図１に示さない発熱部や蒸散剤保持体に接触してしまうことを防止することができる。蓋体１２が開閉式になっているので、たとえ手指が開口部１３から抜けなくなっても蓋体１２を開くことで手指が発熱部と接触することを未然に防止することができる。
従って、薬剤の蒸散効率を良好に維持することが可能でかつ使い勝手の良い加熱蒸散装置を提供することができる。
【００２０】
蓋体１２を開いた状態における加熱蒸散装置１０の全体斜視図である図２（ａ）に示すように、蓋体１２を開き、蓋体１２の内面（蓋表面１２ａの反対側の面）に蒸散剤保持体２０がセットされる。なお、本図においては、後述する発熱部を示していない。
蓋体１２の縦方向（図中の上下方向）の断面図である図２（ｂ）に示すように、蓋体１２の内面には、押さえ部となる板ばね１８が設けられている。く字状に形成された板ばね１８は、蓋体１２の上端側に片持ち支持され、下方かつ器体１１へ接近する方向（蓋体１２から離れる方向）へ延び、その長さの半分より先端側で屈曲され、屈曲部より先は蓋体１２へ近づく方向へ傾斜して延びている。
蓋体１２内面の、板ばね１８先端より下端側に、リブストッパー１９ａが立設されている。蒸散剤保持体２０は蓋体１２の内面に図中矢印Ｉに示す方向から挿入されて取り付けられる。
【００２１】
図３に示すように、蒸散剤保持体２０の一例において、この蒸散剤保持体２０は、加熱蒸散液を収容した略直方体状の容器２１の上方開口を気体透過性フィルム２２で覆い、容器２１の上方周縁にフランジ状の側縁部２３を設けた構成である。容器２１は、例えば金属製とすることができる。この蒸散剤保持体２０は、容器２１の下面を加熱されて、気体透過性フィルム２２を介して薬剤を蒸散するものなので、目詰まりなどの心配がない。
【００２２】
図４に示すように、蓋体１２に蒸散剤保持体２０を取り付けた状態で図２（ｂ）における矢印Ｉの方向から見ると、蓋体１２の両側縁部には、Ｌ字状のガイド１９ｂ，１９ｂが設けられている。ガイド１９ｂは、蓋体１２の蓋表面１２ａに対して略平行に延びている。前述の板ばね１８は、蓋体１２の内面に幅方向に間隔をあけて一対で設けられ、各板ばね１８はガイド１９ｂ付近に位置している。
蓋体１２を開いた状態で、板ばね１８とガイド１９ｂとの間に、蒸散剤保持体２０の側縁部２３が挿し込まれる。図２（ｂ）に示したリブストッパー１９ａに蒸散剤保持体２０の先端が当たるまで、蒸散剤保持体２０が挿し込まれる。こうして、蒸散剤保持体２０の側縁部２３が、板ばね１８の屈曲部とガイド１９ｂとによって挟持された状態となる。
【００２３】
蒸散剤保持体２０を取り付けた後、蓋体１２を閉じた状態における加熱蒸散装置１０の全体断面図である図５に示すように、板ばね１８の屈曲部付近が、傾斜状態の蒸散剤保持体２０を発熱部２５に向けて押圧している。蓋体１２を閉じると、蒸散剤保持体２０が発熱部２５に押し付けられて、板ばね１８は蓋体１２を閉じる前より大きく弾性変形する。したがって、板ばね１８が強い弾性力により蒸散剤保持体２０をしっかりと支持する。蒸散剤保持体２０は、水平方向に対して例えば１０度〜９０度で傾斜した状態で支持される。
【００２４】
発熱部２５は、電源が端子２５ａを通って供給されると発熱体２５ｂにその熱が伝わり、蒸散剤保持体２０の裏面を面状に加熱する。すると、蒸散剤保持体２０の表面の気体透過性フィルムを介して殺虫剤等の薬剤が蒸散され、蓋体１２の開口部１３を介して外部に蒸散される。
【００２５】
器体１１の底部１１ａに垂直に立設された背部１１ｂには、コンセントに挿し込まれる電源供給用のプラグ２６が設けられている。プラグ２６は底部１１ａから突出するように設けられていてもよい。プラグ２６は、背部１１ｂから突出した状態と、底部１１ａから突出した状態との両方の位置をとり得るように、器体１１に可動に設けられてもよい。プラグ２６を可動とすれば、例えば、屋内の壁面に設けられたコンセントと上面にコンセントを有するテーブルタップとのいずれにおいても加熱蒸散装置を取り付けることができる。
【００２６】
図５に示す矢印Ａから見た加熱蒸散措置１０の、板ばね１８や蒸散剤保持体２０や発熱部２５を図示しない断面図である図６に示すように、蓋体１２の柱部１２ｃは、断面が三角形で、且つ、この三角形の底面が蓋表面１２ａ側に位置するように構成されている。
こうすれば、蓋体１２の開口部１３は、それぞれ、図示しない蒸散剤保持体側において幅（各開口部１３の短手方向長さ）が広く、且つ、蓋表面１２ａ側で幅が狭くなるように構成されている。
言い換えれば、開口部１３はそれぞれの短手方向長さが蒸散剤保持体に近づくにつれ大きくなるように形成されている。
蒸散剤保持体側における、開口部１３のそれぞれの短手方向長さが広くなるように構成されているので、蒸散された薬剤が開口部１３を蓋表面側へ向かって通過しやすくなる。このため、薬剤がそれぞれの開口部１３内に残留する状態、いわゆる目詰まりの状態になることを抑制することができる。
【００２７】
蓋体１２の柱部１２ｃは、断面が三角形状になる構成に限られない。柱部１２ｃは、例えば、断面が台形などの形状になるよう構成されていてもよい。
【００２８】
本実施形態にかかる加熱蒸散装置１０は、蓋体１２の上端部分（図５において左側からみた場合の蓋体１２の上側部分）と器体１１との隙間に蒸散口３１が形成された構成を有している。蒸散口３１は、蒸散剤保持体２０の上端２０ａの鉛直方向上方に開口するように設けられている。なお、蒸散口３１は、器体１１との隙間だけでなく、器体１１に設けられている構成としてもよい。つまり、本発明にかかる加熱蒸散装置において、器体１１に蓋体１２が閉じられている状態で、器体１１と蓋体１２の上端部分との隙間及び又は器体１１に蒸散口３１が形成されていてもよい。
【００２９】
蒸散させた薬剤は、特に、加熱蒸散装置１０において蒸散剤保持体２０の上方に位置する部位に付着し、この付着した薬剤が蓋体の開口部を遮蔽することによって薬剤の蒸散効率を低減せしめる傾向がある。
そこで、蒸散剤保持体２０の上端２０ａに対して鉛直方向上方に開口する蒸散口３１を設けた構成とすれば、この蒸散口３１から蒸散された薬剤が加熱蒸散装置１０の外部に排出される。このため、加熱蒸散装置１０の内部の部位に蒸散させた薬剤が付着することに起因して薬剤の蒸散効率が低減することを抑制することができる。
【００３０】
本実施形態にかかる加熱蒸散装置１０は、蓋体１２の下端部分（図５において左側からみた場合の蓋体１２の下側部分）と器体１１との隙間に第１の空気取入口３２が形成された構成を有している。なお、第１の空気取入口３２は、器体１１との隙間だけでなく、器体１１に設けられている構成としてもよい。つまり、本発明にかかる加熱蒸散装置において、器体１１に蓋体１２が閉じられている状態で、器体１１と蓋体１２の下端部分との隙間及び又は器体１１に第１の空気取入口３２が形成されていてもよい。
本実施形態においては、第１の空気取入口３２は、蒸散剤保持体２０の下端２０ｂより鉛直方向に対して下側に位置で開口するように形成されている。
加熱蒸散装置１０の外部の空気が第１の空気取入口３２から器体１１内部に導入される。導入された空気によって薬剤の蒸散が促進されるので、薬剤の蒸散効率が向上する。
蓋体１２の下端部と器体１１との隙間は、１ｍｍから８ｍｍの範囲に構成することが好ましい。
【００３１】
本実施形態にかかる加熱蒸散装置１０は、器体１１の底部１１ａに垂直に立設された背部１１ｂに複数の第２の空気取入口３３が設けられている。
図５から図６を参照して、図７に示すように図５の加熱蒸散装置を図に向かって右側からみた状態（背部１１ｂを正面視した状態）において、複数の第２の空気取入口３３は、背部１１ｂに縦方向（図７に向かって上下方向）に３つ、横方向（図７に向かって左右方向）に５つに配列された構成を有している。なお、第２の空気取入口３３の数や配列はこの構成に限られない。また、複数の第２の空気取入口３３は、それぞれ大きさが同じでも、又は、異なっていてもよく、配列されずに背部に適宜形成されていてもよい。
【００３２】
第２の空気取入口３３のそれぞれは、凹部となるように形成され、この凹部を区画する下方側面に、器体１１内部と連通する孔３３ａが開口するように構成されている。第２の空気取入口３３のそれぞれは、器体１１の外部から第２の空気取入口３３に挿入される図示しない先細の部材などの侵入物が、凹部の底部分に突き当たるように構成されている。つまり、加熱蒸散装置１０は、第２の空気取入口３３によって、器体１１内部に不測に侵入した侵入物が発熱部２５などに損傷を与えてしまうことを防止することができる。
【００３３】
次に、図８を参照して本発明にかかる加熱蒸散装置の第２の実施形態を説明する。なお、以下に説明する実施形態において、すでに説明した部材などと同等な構成・作用を有する部材等については、図中に同一符号又は相当符号を付すことにより、説明を簡略化或いは省略する。
図８に示すように、本実施形態の加熱蒸散装置４０は、蓋体４２に略格子状に区画された正方形又は矩形の開口部４３が複数形成されている。
【００３４】
本実施形態の加熱蒸散装置４０において、複数の開口部４３の、蓋体４２の蓋表面４２ａに対する開口率は４０％以上（本実施形態において４５％）の範囲になるよう構成されている。
ここで、複数の開口部４３は開口率が４０％未満になるように構成した場合、蒸散させた薬剤が開口部４３の隙間に付着して残留する状態、いわゆる目詰まりのような状態になる。すると、薬剤の蒸散効率が低減してしまう。
そこで、本実施形態においては、複数の開口部４３は開口率が４０％以上になるように構成することで、蒸散させた薬剤が開口部４３の隙間に付着して残留する状態、いわゆる目詰まりのような状態になることを防止している。
【００３５】
また、複数の開口部４３は、開口率が４０％以上となるように構成されるとともに、これら開口部４３のそれぞれの最大寸法長さが５ｍｍ以下（本実施形態においては２．５ｍｍ）になるように構成されている。
なお、ここでいう最大寸法長さとは、開口部４３のそれぞれに対して最も寸法が大きくなる部分の長さを意味する。例えば、図８に示す複数の開口部４３の場合、それぞれの開口部４３の対角線の寸法が最も大きいため、この対角線の長さが５ｍｍ以下になるように構成されている。このため、使用者や幼児の手指が開口部４３を介して図１に示さない発熱部や蒸散剤保持体に接触してしまうことを防止することができる。蓋体４２は開閉式になっているので、たとえ手指が抜けなくなっても蓋体４２が開くことで手指が発熱部に接触することを未然に防止することができる。蓋体４２は、開閉式で、かつ、取外し可能な着脱式としてもよい。また、蓋体４２は開閉式でなく、単に着脱式とすることもできる。  従って、本実施形態によれば、薬剤の蒸散効率を良好に維持することが可能でかつ使い勝手の良い加熱蒸散装置を提供することができる。
【００３６】
本実施形態において、器体４１と蓋体４２の上端部との隙間及び又は器体４１に蒸散口６１を形成された構成とすることができる。
また、器体４１と蓋体４２の下端部との隙間及び又は器体４１に第１の空気取入口６２が形成された構成とすることができる。
さらに、図８に示さないが、器体４１の背部４１ｂに第２の空気取入口が形成された構成とすることができる。蒸散口６１、第１の空気取入口６２及び第２の空気取入口のそれぞれの構造及びそれぞれの作用及び効果は上記の第１の実施形態で述べた第２の空気取入口３３と同じである。
本実施形態において、開口部４３は正方形又は矩形に限られない。開口部４３は、例えば、三角形や五角形などの多角形、正円、楕円などの円形とすることができる。
【００３７】
次に、図９，図１０，図１１を参照して本発明にかかる加熱蒸散装置の第３の実施形態を説明する。なお、以下に説明する実施形態において、すでに説明した部材などと同等な構成・作用を有する部材等については、図中に同一符号又は相当符号を付すことにより、説明を簡略化或いは省略する。
図９に示すように、本実施形態の加熱蒸散装置７０は、蓋体７２に上下方向に細長形状に伸びる開口部７３が複数形成されている。ここで、複数の開口部７３の形状及び寸法はほぼ等しい。
【００３８】
複数の開口部７３の、蓋体７２の蓋表面７２ａに対する開口率は４０％以上（本実施形態において４５％）の範囲になるように構成されている。また、複数の開口部７３は、それぞれの短手方向長さが５ｍｍ以下（本実施形態においては２．５ｍｍ）に構成されている。
【００３９】
図９，図１０に示すように、加熱蒸散装置７０は、器体７１における第１の空気取入口９２の下方に電源スイッチ９３を備えている。電源スイッチ９３は、電源を発熱部８５に供給する「ＯＮ」側と電源を供給しない「ＯＦＦ」側との間で切り替えることができるように構成されている。使用者が用事においてこの電源スイッチ９３を「ＯＮ」側に切り替えることで、発熱部８５に電源が供給される。
【００４０】
また、加熱蒸散装置７０は、器体７１における蒸散口９１の上方部に表示部９４を備えている。表示部９４は透明又は半透明な樹脂等の部材で構成されている。器体７１の内部において表示部９４の略下方側に発光体９５が備えられており、電源スイッチ９３が「ＯＮ」側に切り替えられた際に、発光体９５が発光する。そして、発光体９５の光が表示部９４を介して器体７１の外側へ洩れる。このため、使用者は、表示部９４によって加熱蒸散装置７０の発熱部８５に電源が供給されているか否かを簡便に確認することができる。  電源スイッチ９３自体が発光するように構成されていてもよい。例えば、「ＯＮ」側の時は緑色の発光が点灯し、「ＯＦＦ」側の時は赤色の発光が点灯するように構成されていてもよい。こうすれば、使用者が電源スイッチ９３の発光に基いて加熱蒸散装置７０及び電源スイッチ９３の位置がわかるので使い勝手が良い。
【００４１】
図１０に示すように、本実施形態の蓋体７２の内面には押さえ部となる位置決め片７８が設けられている。位置決め片７８は、蓋体７２の内面に幅方向に間隔をあけて一対で設けられ、各位置決め片７８は、ガイド７９ｂ付近に位置している。ここで、各位置決め片７８は、蓋体７２の内面に一体的に形成され、位置決め片７８の先端部が蒸散剤保持体８０の側縁部８３に当接している。
【００４２】
蓋体７２を開いた状態で、位置決め片７８とガイド７９ｂとの間に、蒸散剤保持体８０の側縁部８３が挿し込まれる。そして、リブストッパー７９ａに側縁部８３の下方が当たるまで、蒸散剤保持体８０が挿し込まれる。こうして、蒸散剤保持体８０の側縁部８３が、位置決め片７８の先端部とガイド７９ｂとによって狭持された状態となる。
容器８１の被加熱面積Ｓを一定とすることで、容器８１のサイズは同じままで薬量を調整するだけで薬剤の有効期限が短期間用から長期間用のものを得ることができる。
【００４３】
図１１に示すように、蒸散剤保持体８０の容器８１は、深底部８１ａと、底部が深底部８１ａのものに比して浅くなるように形成された浅底部８１ｂとを有している。図１０に示すように、蒸散剤保持体８０は、蓋体７２に取り付けた状態で、深底部８１ａが浅底部８１ｂよりも上方になるように構成されている。
【００４４】
また、図１０に示すように、蒸散剤保持体８０が蓋体７２に取り付けられた状態において、発熱部８５が浅底部８１ｂの図１０中下方側の面に当接する。
蒸散剤保持体８０の深底部８１ａ及び浅底部８１ｂには予め薬剤が気体透過性フィルムによって封入されている。そして、用事において発熱部８５に電源が供給されると、発熱部８５によって加熱されることで、蒸散剤保持体８０の浅底部８１ｂに貯留する薬剤が蒸散する。ここで、深底部８１ａにも薬剤が貯留している場合には、浅底部８１ｂに貯留する薬剤が蒸散により減少しても、深底部８１ａから薬剤が自重によって移動する。
【００４５】
次に、図１２（ａ），（ｂ），（ｃ）を参照して蒸散剤保持体の変形例を説明する。図１２（ａ）は、図１１に示す蒸散剤保持体８０と同じものである。なお、図１２（ａ）〜（ｃ）において、気体透過性フィルム及び薬剤は図示しない。
【００４６】
図１２（ｂ）に示す蒸散剤保持体１８０は、それぞれ、浅底部１８１ｂに気体透過性フィルム側に立設された凸部１８１ｃが形成されている。このため、蒸散剤保持体１８０の容器１８１に気体透過性フィルムで薬剤を密封すると、浅底部１８１ｂに貯留する薬剤の量は蒸散剤保持体８０に比して、凸部１８１ｃの分だけ少なくなる。
【００４７】
また、図１２（ｃ）に示す蒸散剤保持体２８０の浅底部２８１ｂにも凸部２８１ｃが形成されている。凸部２８１ｃは、上方視（図１２（ｂ）及び（ｃ）において上方から見た状態）における立設された部分の面積が、蒸散剤保持体１８０の凸部１８１ｃに比して大きい。このため、浅底部２８１ｂに貯留する薬剤の量は蒸散剤保持体８０及び蒸散剤保持体１８０に比して少なくなる。
【００４８】
つまり、蒸散剤保持体１８０、２８０の凸部１８１ｃ、２８１ｃの大きさを調整することで浅底部１８１ｂ、２８１ｂに貯留する薬剤の量を調整することができる。このため、蒸散剤保持体８０、１８０、２８０に予め使用期間（例えば、３０日、６０日、９０日等）に応じてそれぞれ異なる量の薬剤を密封する場合、凸部１８１ｃ、２８１ｃによって薬剤が深底部１８１ａ、２８１ａ側にはみ出し、浅底部１８１ｂ、２８１ｂ側に薬剤が偏ることを抑制することができる。言い換えれば、図１０に示すように蓋体７２に取り付けた状態において、予め密封された薬剤の量の違いにかかわらず、それぞれの蒸散剤保持体８０、１８０、２８０の薬剤の液面がほぼ同じ位置にあるようにすることができる。
また、蒸散剤保持体８０、１８０、２８０が蓋体７２に取り付けられていない状態で、使用者が気体透過性フィルムを介して薬剤を確認する場合に、各蒸散剤保持体８０、１８０、２８０に予め封入された薬剤の量にかかわらず、いずれもほぼ同量の薬剤が入っているように見えるため、蒸散剤保持体の外観が損なわれることを防止することができる。
【００４９】
次に、図１３を参照して蒸散剤保持体の別の変形例を説明する。
図１３に示すように、蒸散剤保持体３８０は、容器３８１の浅底部３８１ｂ裏面に、予め定められた温度特性を有する断熱部材３８４を配している。
【００５０】
ところで、上述した蒸散剤保持体８０，１８０，２８０は、通常、１０５℃に定められた蒸散温度特性を有する。そのため、発熱部が、その蒸散温度特性に対応した温度に発熱することにより、蒸散剤保持体８０，１８０，２８０を加熱して薬剤を蒸散するようになっている。しかし、温度特性が、１０５℃を超えた、例えば１４０℃や１７０℃に設定された温度特性を持つ発熱部を有する従来の加熱蒸散装置に蒸散剤保持体８０，１８０，２８０を使用する場合、発熱部の温度特性が高すぎて適用することができない。そこで、異なる温度特性を持つ発熱部を有するものとして製造された加熱蒸散装置に適用できる蒸散剤保持体が必要である。
【００５１】
蒸散剤保持体３８０は、例えば１０５℃よりも高い１４０℃に設定された温度特性を持つ発熱部３８５を有し、図１０に示す第３実施形態と同様の構造を有する加熱蒸散装置１７０に適用される。断熱部材３８４は、比較的厚さが薄い断熱材を素材として板形状に形成されており、容器３８１の浅底部３８１ｂ裏面に、接着剤による貼付け、または、容器３８１に係止固定、等により一体的に固定されている。断熱部材３８４は、発熱部３８５に当接させて加熱蒸散装置１７０に取り付けられ、発熱部３８５が、１４０℃に対応して発熱した際に、その温度を吸収し、容器３８１の浅底部３８１ｂに、ほぼ１０５℃の熱を伝播させる。そのため、１０５℃の蒸散温度特性を持つ蒸散剤保持体３８０の薬剤が、断熱部材３８４を通じて伝播された１０５℃の熱によって所定の蒸散を行なう。発熱部３８５が、例えば１７０℃の温度特性を持つ場合にも、断熱部材３８４の断熱特性を変更することにより、その場合の発熱部３８５に対応して適用される。
【００５２】
このようにすれば、通常よりも高い温度特性を持つ発熱部３８５を有する加熱蒸散装置１７０に対しても蒸散剤保持体３８０を適用することができる。そのため、蒸散剤保持体の汎用性を向上することができる。
【００５３】
次に、図１４（ａ），（ｂ）を参照して蒸散剤保持体の別の変形例を説明する。
図１４（ａ）に示すように、蒸散剤保持体４８０は、図１３に示す断熱部材３８４に代えて、容器４８１の浅底部４８１ｂを波板形状に形成することによって、断熱効果を得たものである。
【００５４】
図１４（ｂ）に示すように、蒸散剤保持体４８０は、波板形状の浅底部４８１ｂを発熱部４８５に当接させて加熱蒸散装置に取り付けられるため、浅底部４８１ｂと発熱部４８５との間に、複数の空間Ｍが配される。そして、それら空間Ｍが断熱特性を有することになり、発熱部４８５が、例えば１４０℃に対応して発熱した際に、その温度を吸収し、容器４８１の浅底部４８１ｂに、ほぼ１０５℃の熱を伝播させる。そのため、１０５℃の蒸散温度特性を持つ蒸散剤保持体４８０の薬剤が、空間Ｍを通じて伝播された１０５℃の熱によって所定の蒸散を行なう。このように浅底部４８１ｂの底面（即ち、下面）と発熱部４８５の上面との線状接触した部分および空間Ｍにより蒸散剤保持体４８０が加熱される加熱方式を採ることによって、発熱部４８５の温度が１４０℃〜１７０℃であっても蒸散剤保持体４８０の使用が可能となる。なお、空間Ｍの空間容積は約０．１ｃｍ3である。
【００５５】
このようにすれば、通常よりも高い温度特性を持つ発熱部４８５を有する加熱蒸散装置に対しても蒸散剤保持体４８０を適用することができる。そのため、蒸散剤保持体の汎用性を向上することができる。
【００５６】
ところで、上述した本発明にかかる加熱蒸散装置の第３の実施形態における蒸散剤保持体８０を図１５に示されるように床面と水平な放熱板（即ち、発熱部に相当する。）Ｈ上に配置（具体的には、深底部８１ａと浅底部８１ｂ側の側縁部８３の先端縁とをそれぞれ放熱板Ｈの上面に線状接触させながら蒸散剤保持体８０を傾斜させて配置）すると、当該傾斜配置により蒸散剤保持体８０の底面（即ち、下面）と放熱板Ｈの上面との間に空間Ｍ１が生じる。このような放熱板Ｈとの線状接触および空間Ｍ１の形成により蒸散剤保持体８０が底面の前後部分で加熱される加熱方式を採ることによって、放熱板Ｈの温度が１４０℃〜１７０℃であっても蒸散剤保持体８０の使用が可能となる。また、前述のように蒸散剤保持体を傾斜するように配置すると、蒸散剤の残量の視認性にも優れたものとなるため好ましい。なお、空間Ｍ１の空間容積は約１．７ｃｍ3である。
【００５７】
次に、図１６を参照して本発明にかかる加熱蒸散装置の第４の実施形態を説明する。なお、以下に説明する実施形態において、すでに説明した部材などと同等な構成・作用を有する部材等については、図中に同一符号又は相当符号を付すことにより、説明を簡略化或いは省略する。
図１６に示すように、本実施形態の加熱蒸散装置２７０は、発熱部５８５の発熱温度を調整する温度調整回路５８６を回路基板５８７上に配し、温度調整回路５８６による設定温度を変更する温度スイッチ５８８を背部２７１ｂに配している。温度調整回路５８６と発熱部５８５とはリード線５８９により電気的に接続されている。この場合は、図１１に示す蒸散剤保持体８０が用いられる。
【００５８】
本実施形態の加熱蒸散装置２７０では、蒸散剤保持体８０の蒸散温度特性に応じて温度スイッチ５８８を、例えば複数段階に切換え操作することにより、複数の蒸散温度特性に対応することができる。即ち、例えば１０５℃の蒸散温度特性を持つ蒸散剤保持体８０を取り付けた場合、温度スイッチ５８８を１０５℃に設定する。それにより、温度調整回路５８６によって発熱部５８５が１０５℃に発熱され、蒸散剤保持体８０の薬剤が、発熱部５８５の１０５℃の熱によって所定の蒸散を行なう。蒸散剤保持体８０の蒸散温度特性が、例えば１４０℃であっても、或いは１７０℃であっても、それら温度に対応して温度スイッチ５８８を切換え操作することにより、それら蒸散温度特性に対応して発熱部５８５を加熱することにより、蒸散剤保持体８０の薬剤を蒸散することができる。
【００５９】
このようにすれば、異なる蒸散温度特性を持つ蒸散剤保持体８０に対しても、単一の構造を有する加熱蒸散装置２７０で適用できるため、加熱蒸散装置の汎用性を高めることができる。
【００６０】
次に、図１７を参照して発熱部と蒸散剤保持体との変形例を説明する。
図１７に示すように、発熱部６８５は、予め定められた形状の蒸散剤保持体６８０のみに当接可能な凹部６８６を有し、蒸散剤保持体６８０は、凹部６８６を有する発熱部６８５のみに組み込み可能な凸部６８７を浅底部６８１ｂに有する。
【００６１】
ところで、上述した蒸散剤保持体８０，１８０，２８０は、それら浅底部８１ｂ，１８１ｂ，２８１ｂの下方端面が四角形の底辺を構成するように直線をなす。そのため、蒸散剤保持体８０，１８０，２８０の蒸散温度特性と、発熱部８５の発熱特性とが一致していなくても、その端面と同様の形状に形成された従来の蒸散剤保持体が間違って組み込まれる虞がある。そうすると、蒸散剤保持体の蒸散温度特性と、発熱部の発熱特性とが一致していないことにより、異常発熱や発熱不良等の不具合を起こすことがある。そこで、蒸散剤保持体の蒸散温度特性と、発熱部の発熱特性とを一致させるために、それらの形状を統一する必要がある。
【００６２】
発熱部６８５の凹部６８６は、中央部に予め定められた角度αの頂部６８８を有するホームベース形状をなして発熱部６８５の表面から僅かに下がって配されている。
【００６３】
蒸散剤保持体６８０の凸部６８７は、発熱部６８５の凹部６８６に対応しており、中央部に予め定められた角度αの頂部６８９を有するホームベース形状をなして浅底部６８１ｂに配されている。
【００６４】
発熱部６８５の凹部６８６と、蒸散剤保持体６８０の凸部６８７とは、相互対偶の関係にある。そのため、蒸散剤保持体６８０が発熱部６８５に組み付けられるに際し、凸部６８７が凹部６８６に合致して互いが当接することにより、正規の蒸散剤保持体６８０が組み込まれたことが検知される。これに反して、下方端面が四角形の底辺を構成するように直線をなす浅底部８１ｂ，１８１ｂ，２８１ｂを有する蒸散剤保持体８０，１８０，２８０や、頂部の角度が異なる大きさの蒸散剤保持体に対しては、発熱部６８５の凹部６８６が一致せずに組み込みすることができず、誤組み込みを促すことができる。
【００６５】
このようにすれば、正規形状の蒸散剤保持体６８０のみを組み込むことができるので、誤組み込みされた場合の異常発熱や発熱不良等の不具合を起こすことがなくなり、製品の品質を維持することができる。
【００６６】
次に、図１８を参照して発熱部と蒸散剤保持体との別の変形例を説明する。
図１８に示すように、発熱部７８５は、予め定められた形状の蒸散剤保持体７８０のみを挿入可能な傾斜面７８７を側部に持つ凹部７８６を有し、蒸散剤保持体７８０は、凹部７８６を有する発熱部７８５のみに組み込み可能な傾斜面７８９を側部に持つ凸部７８８を浅底部７８１ｂに有する。
【００６７】
発熱部７８５の凹部７８６と、蒸散剤保持体７８０の凸部７８８とは、相互対偶の関係にある。そのため、蒸散剤保持体７８０が発熱部７８５に組み付けられるに際し、凸部７８８の傾斜面７８９が、凹部７８６の傾斜面７８７に合致して互いが当接することにより、正規の蒸散剤保持体７８０が組み込まれたことが検知される。これに反して、傾斜面７８９とは異なる角度や直角の側部を持つ浅底部を有する蒸散剤保持体に対しては、発熱部７８５の凹部７８６が一致せずに組み込みすることができず、誤組み込みを促すことができる。
【００６８】
このようにすれば、正規形状の蒸散剤保持体７８０のみを組み込むことができるので、誤組み込みされた場合の異常発熱や発熱不良等の不具合を起こすことがなくなり、製品の品質を維持することができる。尚、発熱部７８５、蒸散剤保持体７８０に、図１７に示すような、凹部６８６、凸部６８７を設けてもよい。
【００６９】
次に、図１９を参照して蒸散剤保持体の更に別の変形例を説明する。
図１９に示すように、蒸散剤保持体８８０は、側縁部８８３のほぼ中央部にＵ字形状に切除された切欠き８８６を有し、発熱部８８５の周りに、切欠き８８６に挿入可能な突起８８７を器体７８１に有する。
【００７０】
蒸散剤保持体８８０の切欠き８８６と、器体７８１の突起８８７とは、相互対偶の関係にある。そのため、蒸散剤保持体８８０が発熱部８８５に組み付けられるに際し、蒸散剤保持体８８０の切欠き８８６が、器体７８１の突起８８７に外挿されて互いが当接することにより、正規の蒸散剤保持体８８０が組み込まれたことが検知される。これに反して、切欠きの形成されていない蒸散剤保持体に対しては、突起８８７が側縁部に衝突して組み込みすることができず、誤組み込みを促すことができる。
【００７１】
このようにすれば、正規形状の蒸散剤保持体８８０のみを組み込むことができるので、誤組み込みされた場合の異常発熱や発熱不良等の不具合を起こすことがなくなり、製品の品質を維持することができる。尚、発熱部８８５、蒸散剤保持体８８０に、図１７に示すような、凹部６８６、凸部６８７を設けて良く、或いは、発熱部８８５、蒸散剤保持体８８０に、図１８に示すような、傾斜面７８７を側部に持つ凹部７８６、傾斜面７８９を側部に持つ凸部７８８を設けてもよい。
【００７２】
なお、本発明は、前述した実施形態に限定されるものではなく、適宜な変形、改良等が可能である。
例えば、蒸散剤保持体が蓋体の内側ではなく、器体側に挿入される構成としてもよく、器体に蒸散剤保持体を固定するためのリブストッパーやガイドが設けられていてもよい。
【図面の簡単な説明】
【００７３】
【図１】本発明にかかる加熱蒸散装置の第１の実施形態を示す全体斜視図である。
【図２】（ａ）は図１の加熱蒸散装置の蓋体を開いた状態を示す図、（ｂ）は（ａ）に示す蓋体の断面図である。
【図３】蒸散剤保持体の一例を示す斜視図である。
【図４】蓋体に蒸散剤保持体を取り付けた状態を示す図である。
【図５】蒸散剤保持体を取り付けた状態における加熱蒸散装置の全体断面図である。
【図６】図５の矢印Ａ方向で見た状態における加熱蒸散装置の断面図である。
【図７】加熱蒸散装置の背部を正面視した図である。
【図８】本発明にかかる加熱蒸散装置の第２の実施形態を示す全体斜視図である。
【図９】本発明にかかる加熱蒸散装置の第３の実施形態を示す全体斜視図である。
【図１０】図９の加熱蒸散装置の縦方向の断面図である。
【図１１】図１０に示す加熱蒸散装置の蒸散剤保持体を示す図である。
【図１２】（ａ）は図１１に示す蒸散剤保持体を示す図、（ｂ）は図１２（ａ）の蒸散剤保持体の変形例を示す図、（ｃ）は図１２（ａ）の蒸散剤保持体の別の変形例を示す図である。
【図１３】図１０に示す加熱蒸散装置の蒸散剤保持体における別の変形例を取り付けた加熱蒸散装置の全体断面図である。
【図１４】（ａ）は図１３の蒸散剤保持体の変形例を示す側面図、（ｂ）は図１４（ａ）の断面図である。
【図１５】本発明にかかる加熱蒸散装置の第３の実施形態における蒸散剤保持体を床面と水平な放熱板上に配置した状態を示す断面図である。
【図１６】本発明にかかる加熱蒸散装置の第４の実施形態において蒸散剤保持体を取り付けた状態における加熱蒸散装置の全体断面図である。
【図１７】図１６の加熱蒸散装置における発熱部と蒸散剤保持体との変形例を示す斜視図である。
【図１８】図１７の発熱部と蒸散剤保持体との別の変形例を示す断面図である。
【図１９】図１８の蒸散剤保持体の更に別の変形例を示す斜視図である。
【符号の説明】
【００７４】
１０，４０，７０，１７０，２７０  加熱蒸散装置
１１，４１，７１，７８１          器体
１２，４２，７２                  蓋体
１３，４３，７３                  開口部
１８                              板ばね（押さえ部）
２０，８０，１８０，２８０，３８０，４８０，６８０，７８０，８８０  蒸散剤保持体
２５，８５，３８５，４８５，５８５，６８５，７８５，８８５      発熱部
３１，６１，９１                  蒸散口
３２，６２，９２                  第１の空気取入口
３３                              第２の空気取入口
７８                              位置決め片（押さえ部）
９３                              電源スイッチ
９４                              表示部
【図１】
2004267197.tif 000003
【図２】
2004267197.tif 000004
【図３】
2004267197.tif 000005
【図４】
2004267197.tif 000006
【図５】
2004267197.tif 000007
【図６】
2004267197.tif 000008
【図７】
2004267197.tif 000009
【図８】
2004267197.tif 000010
【図９】
2004267197.tif 000011
【図１０】
2004267197.tif 000012
【図１１】
2004267197.tif 000013
【図１２】
2004267197.tif 000014
【図１３】
2004267197.tif 000015
【図１４】
2004267197.tif 000016
【図１５】
2004267197.tif 000017
【図１６】
2004267197.tif 000018
【図１７】
2004267197.tif 000019
【図１８】
2004267197.tif 000020
【図１９】
2004267197.tif 000021